(57)【要約】【課題】作業性を損なうことなく有害ガスの十分な曝露防止効果を得ることができると共に、排気ダクトの設置等の工事を必要とすることなしに既設の解剖台をそのまま使用できる解剖実習室用有害ガス曝露防止装置を提供する。【解決手段】解剖実習室の複数の解剖台のそれぞれの長手方向の両端の一方に一様空気流吹出し機構をもつプッシュフードを他方に一様空気流吸引機構をもつプルフードを、プッシュフードからの空気流の少なくとも一部が解剖台上の献体に接して流れた後プルフードに吸い込まれるように、対向させて配置すると共に、該プルフード内を空気流吸引機構より下部に有害ガス吸着能をもつフィルタが内蔵されていて解剖台より低い位置から清浄化した空気流が室内に排気されるように構成した解剖実習室用有害ガス曝露防止装置。【選択図】図１
2007252453.tif 000002
【特許請求の範囲】
【請求項１】
解剖実習室の複数の解剖台のそれぞれの長手方向の両端の一方に一様空気流吹出し機構をもつプッシュフードを他方に一様空気流吸引機構をもつプルフードを、プッシュフードからの空気流の少なくとも一部が解剖台上の献体に接して流れた後プルフードに吸い込まれるように、対向させて配置すると共に、該プルフード内を空気流吸引機構より下部に有害ガス吸着能をもつフィルタが内蔵されていて解剖台より低い位置から清浄化した空気流が室内に排気されるように構成したことを特徴とする解剖実習室用有害ガス曝露防止装置。
【請求項２】
プルフードの空気流吸引開口面に、上下方向に移動可能な遮蔽板を配してなる請求項１記載の装置。
【発明の詳細な説明】
【技術分野】
【０００１】
本発明は解剖実習室用有害ガス曝露防止装置に関し、特にホルマリン等で防腐処理を施した献体の解剖実習を行う際にホルマリン等の防腐薬剤から主に発生する有害ガス（ホルムアルデヒドガス等）の曝露を防止する装置に関する。
【背景技術】
【０００２】
医学生等が行う解剖実習は、医学部系統解剖学実習と称され、ホルマリン等で防腐処理された複数の献体を複数の解剖台上で同時に行うのが一般的である。この実習は多人数で長時間行われることから、ホルマリンから発生するホルムアルデヒドガス等の有害ガスの効率的且つ経済的除去が必要となる。
【０００３】
一般的には、換気扇や窓の開放、空気清浄機の使用等で対応してきたが、これらでは十分な曝露防止効果は得られない。新設の実習室には給気口と排気口を配した中央管理方式の空調設備を備えたものもみられるが、有害ガスを除去できる設備を併設する等をすると、設備費及び維持費が高価であり、一般的な普及は困難である。そこで解剖台毎の局所排気手段も種々提案されてきている（特許文献１、特許文献２、特許文献３、特許文献４）。しかしこれらは実習作業の妨げになる構造であったり、既設の解剖台には適用困難であったり、実習者への有害ガスの曝露防止効果が十分でないといった問題点を有している。
【０００４】
【特許文献１】特開２００４−０００４５１号公報
【特許文献２】特開２００３−３２０２２０号公報
【特許文献３】特開２００３−１１６８５９号公報
【特許文献４】特開２００１−０６１９０９号公報
【発明の開示】
【発明が解決しようとする課題】
【０００５】
本発明の目的は実習者の作業性を損なうことなく有害ガスの十分な曝露防止効果を得ることができると共に、排気ダクトの設置等の工事を必要とすることなしに既設の解剖台をそのまま使用できる解剖実習室用有害ガス曝露防止装置を提供することにある。
【課題を解決するための手段】
【０００６】
本発明は、解剖実習室の複数の解剖台のそれぞれの長手方向の両端の一方に一様空気流吹出し機構をもつプッシュフードを他方に一様空気流吸引機構をもつプルフードを、プッシュフードからの空気流の少なくとも一部が解剖台上の献体に接して流れた後プルフードに吸い込まれるように、対向させて配置すると共に、該プルフード内を空気流吸引機構より下部に有害ガス吸着能をもつフィルタが内蔵されていて解剖台より低い位置から清浄化した空気流が室内に排気されるように構成したことを特徴とする解剖実習室用有害ガス曝露防止装置である。
【発明の効果】
【０００７】
本発明の装置を用いることにより、実習者の作業性を損なうことなく、極めてわずかな風量でホルムアルデヒドガス等の有害ガスの曝露を顕著に防止することができる。また排気ダクトの設置等の工事を必要とすることなしに既設の実習室及び解剖台をそのまま使用して簡単に設置しまた移動させることができる。また高い空調効率を維持できる。
【発明を実施するための最良の形態】
【０００８】
以下、図面に基づいて本発明を説明する。
図１は本発明の有害ガス曝露防止装置を１台の解剖台に設置した状態を示す説明図である。解剖台上の献体の足部側に空気吹き出しフードであるプッシュフード１を、そして頭部側に空気吸い込みフードであるプルフード２を設ける。これは逆でもよい。フードの高さは実習作業の妨げにならないようなるべく低くするのが望ましいが、献体の高さもあるので献体より高いことが望ましい。また、プッシュフードをやや上方にあげ、気流を斜め下方に吹き出すようにしてもよい。
【０００９】
矢印は空気の流れ方向を示す。プッシュフード１から一様空気流を水平流としてプルフード２の方向に流す。ここで一様空気流とは、流れに対し垂直な断面でみたとき、流れの速度の大きさがその断面のいたるところで実質的に一定である状態をいう。１９８２年出版  社団法人  空気調和・衛生工学会発行の「工場換気」によれば、速度分布のバラツキを平均値に対して±２０％以内にすればよいことが提示されている。
【００１０】
プッシュフード１は解剖台より高い位置に空気流吹出し用開口部をもつものであれば従来知られたプッシュフードを用いることができるが、図示するように、全体を縦型の薄板状構造とし、空気吹出し用開口部の反対側下方から室内空気を取り入れる方式のものが好ましい。
【００１１】
プルフード２は、通常のプルフードと同様、空気流吸引機構としてファンを空気吸い込み用開口内に内蔵している。本発明で用いるプルフード２は内部を上下２段構造とし、上段にファンを、下段にフィルタ収納部４を設けている。フィルタとしてはホルムアルデヒドガスによって代表される有害ガスを除去する公知のフィルタを用いうるが、特に活性炭フィルタを複数枚、たとえば５〜１０枚、並べた構造とすることが好ましい。また、図示するように、フィルタ収納部をもつプルフード下部は空気流吸引機構をもつ上部より必要寸法が大きくなるため、その一部を解剖台の下に位置させることで省スペース化することが好ましい。
【００１２】
また排気はプルフード下部の全面から行うことが好ましい（図では左右方向のみに空気の流れ方向即ち室内への排気方向を示す矢印が記載されており、前方及び後方への矢印は省略されている）。
従来の解剖実習室用有害ガス曝露防止装置では、排気は屋外排気が一般的であるが、本発明の装置ではフィルタで有害ガスをろ過した十分にきれいな空気を相対的に少ない量で排気できるので、室内排気が可能となり、エアコン等の空調に影響を及ぼすことがなく、また配管等も不要となり装置の小型化・省スペース化を達成できる。
またプルフードの下部から四方向に室内排気を行うことができ、プルフードが壁面に接して配置する必要がある場合でも残りの三方向からの排気が可能である。そのため、一方向のみへの排気しか不可能な装置に比し足元を流れる排気風量を実習者が全く気にならないほど少なくすることが可能となる。
【００１３】
本発明で用いるプッシュフードとプルフードはいずれも図示するようにキャスタ５を備え、移動容易な構造とすることが好ましい。
プッシュフードの空気流吹出し開口面とプルフードの空気流吸引開口面との面積は同じか又は後者の方が大きいことが好ましい。
【００１４】
またプッシュフードとプルフードの高さは、すべての解剖台の高さが必ずしも一定ではなかったり、献体が大きかったりする場合があるので、適性位置（高さ）に調節する上下機構を備えていることが好ましい。上下機構としては種々の機構を用いうるが、プッシュフードは全体が軽量であること及び一様流の適正な吹出しを確保する必要があることから、空気流吹出し開口面の面積をかえずに装置上部を上下方向に伸縮しうる構造とすることが好ましい。
【００１５】
プッシュフードの高さ調節の一例を図２に示す。
プッシュフードを分離容易なプッシュフード本体１′とベース部６とから構成し、プッシュフード本体１′の下部の両端に高さ方向に複数個の高さ調節孔６を、またプッシュフード本体１′の下部を嵌め込み可能な箱形状としたベース部７の両端にも高さ調節孔７′を設け、ボルト等の固定部材で所定高さに固定する。
【００１６】
一方、プルフードは、空気流吸引開口面上に上下方向に移動可能な遮蔽板を配することが好ましい。この態様を図３に示す。図３では、２板の細長遮蔽板８を配し、標準位置ではそれぞれを上端と下端に配し、開口面位置をそれより下方に位置したい場合には２板の遮蔽板を上端に、また開口面位置をそれより上方に位置したい場合には２板の遮蔽板を下端に移動させている。この種遮蔽板の枚数は１枚でもまた３枚以上でもよい。遮蔽板を用いる態様では、プルフードの開口面の全面積をプッシュフードの開口面の面積より１０〜３０％程度大きくし、その一部もしくは全部を遮蔽板で遮蔽することが好ましい。遮蔽板の材質も金属板、プラスチック板等適宜の材質の板を用いうる。
【００１７】
図１に示す装置（プッシュフードとプルフードの開口面の面積＝７５０ｍｍ×３００ｍｍ、両者の距離２００ｃｍ）を用い、プッシュフードの吹出し風速０．４ｍ／秒の条件で、有害ガスの代用として煙を上昇させたところ事実上すべての煙がプルフードに吸引されることを確認した。
【図面の簡単な説明】
【００１８】
【図１】本発明装置の設置の一例を示す説明図。
【図２】高さ調節機能を備えたプッシュフードの一例を示す説明図。
【図３】遮蔽板を設けたプルフードの一例を示す説明図。
【符号の説明】
【００１９】
１  プッシュフード
１′  プッシュフード本体
２  プルフード
３、３′  開口面
４  フィルタ内蔵部
５  キャスタ
６  ベース部
７，７′  高さ調節孔
８  遮蔽板
【図１】
2007252453.tif 000003
【図２】
2007252453.tif 000004
【図３】
2007252453.tif 000005